(57)【要約】【課題】モニターに表示されている画面情報に合わせてキーボードを変更させるようにしてキー操作の簡略化及びキー入力の誤操作をなくすか減少させる入力装置を提供する。【解決手段】モニターに所定の画面を表示する画面表示手段と、画面入力するキーを備えたキーボード画面を表示するキー入力手段と、前記モニターに表示される画面に応じて、前記キー入力手段に表示するキーボード画面を変えるキーボード画面変更手段とを備えたことを特徴とする入力装置である。【選択図】      図１
2004199214.tif 000002
【特許請求の範囲】
【請求項１】
モニターに所定の画面を表示する画面表示手段と、
画面入力するキーを備えたキーボード画面を表示するキー入力手段と、
前記モニターに表示される画面に応じて、前記キー入力手段に表示するキーボード画面を変えるキーボード画面変更手段と、
を備えたことを特徴とする入力装置。
【請求項２】
前記キーボード画面変更手段は、ディスプレイ上にキーを配列表示し、該配列表示されているキーをタッチすることでキー操作とするタブレット型であることを特徴とする請求項１に記載の入力装置。
【請求項３】
前記画種は、少なくとも、グラフィックス画面、トレンド画面、システム構成画面からなる請求項１に記載の入力装置。
【発明の詳細な説明】
【０００１】
【発明の属する技術分野】
本発明は、入力装置に関するものであり、詳しくは、安全計装システムの操作監視で使用するオペレーションキーボードに関するもので、目的の画面に合わせてキーボードの使い勝手が自動的に変更できるようにした入力装置に関するものである。
【０００２】
【従来の技術】
従来技術における操作監視用に使用されているシステムは、図３（Ａ）に示すように、所謂、情報機器で構成され、画面情報を表示するモニター１１と、プログラムを実行処理するコンピュータ１２と、モニター１１に表示される画面情報をみてコンピュータ１２に対してデータを入力するオペレーションキーボード１３とを備えた構成になっている。
コンピュータ１２には、図３（Ｂ）に示すように、モニター１１に表示する画面を管理する画面管理プログラム１４、オペレーションキーボード１３のキーの操作により入力されたキーデータを処理するオペレーションキーボードプログラム１５が格納されている。
【０００３】
画面管理プログラム１４は、グラフィックス画面を管理するもので、キーボード等の共通内部処理を行う。
【０００４】
オペレーションキーボード１３は、安全計装システムで使用するための専用のキーボードで、プラントの操作監視に適した専用キーを持っている。
例えば、グラフィックスキー、トレンドキー、システムキーなどがあり、それぞれ、グラフィックス画面、トレンド画面、システム構成画面を呼び出すことができる。
【０００５】
グラフィックス画面は、描画ツールを使用してユーザ定義が可能な画面で、プロセスデータの文字表示、バー表示、またはプロセスデータによる色変化・点滅等を使用してプラント監視を行う。
図４は、グラフィックス画面の一例を示したものであり、ここではバッチ反応缶を示している。原料系には、タグＦＩＣ２００１Ａ、ＦＩＣ２００２Ａ、ＦＩＣ２００３Ａ等があり、夫々の仕込み量と積載量が表示されている。缶内温度はタグＴＩＣ２００１Ａにより測定されている。外気温度はタグＴＩＣ２００２Ａにより測定されている。出荷系には、タグＩＳ２０１１Ａ、ＦＩＳ２０１２Ａ、ＦＩＳ２０１３Ａ等があり、出荷流量が表示されている。製造工程としては、待機、仕込み、加熱、反応、冷却、出荷、完了等の各工程があり、各工程毎の経過時間が表示されている。工程管理用のために、スタート、ホールド、ストップの３種類の表示計器が設けられている。
【０００６】
トレンド画面は、計装システムの定型画面で、定周期で収集するプロセスデータを保存し、その時系列データを表示する。システム構成画面は、計装システムの定型画面でシステムの構成を表示する。
【０００７】
これらの画種毎の画面は、オペレーションキーボード１３が専用のキーコードを出力し、オペレーションキーボードプログラム１５がキーコードを読み込み、画面管理プログラム１４に通知し、画面管理プログラム１４が指定された画種の画面を表示することにより実現している。
【０００８】
これらの画種毎の画面は、オペレーションキーボードが専用のキーコードを出力し、オペレーションキーボードプログラムがキーコードを読み込み、画面管理プログラムに通知し、画面管理プログラムが指定された画種の画面を表示することにより実現している。
【０００９】
【特許文献１】
特開平１１−１７５２２１号公報  （第３頁  第１図）
【００１０】
【発明が解決しようとする課題】
しかしながら、従来技術で説明したオペレーションキーボードは専用のハードウェアであるため、キー配列の変更ができず、また、限られたスペースでのキー配置のため、必要なキーの全てを配列及び用意することができないという問題がある。
【００１１】
又、所望のキーが配列されたとしても、今度はオペレータの操作が煩雑になり、必要な画面を表示するのに時間がかかるという問題もある。
【００１２】
更に、キーが多くなるとオペレータの操作で不要なキーを押してしまう誤操作が発生してしまうという問題もある。
【００１３】
従って、表示する画面に対応してキーボードを自動的に変更することにより、オペレータが操作しやすく、少ない操作で目的の画面を表示することができ、また、誤った操作をなくせる構成に解決しなければならない課題を有する。
【００１４】
【課題を解決するための手段】
上記課題を解決するために、本発明に係る入力装置は、次に示す構成にすることである。
【００１５】
（１）入力装置は、モニターに所定の画面を表示する画面表示手段と、
画面入力するキーを備えたキーボード画面を表示するキー入力手段と、
前記モニターに表示される画面に応じて、前記キー入力手段に表示するキーボード画面を変えるキーボード画面変更手段と、
を備えた。
又、（２）前記キーボード画面変更手段は、ディスプレイ上にキーを配列表示し、該配列表示されているキーをタッチすることでキー操作とするタブレット型であることを特徴とする（１）に記載の入力装置。
（３）前記画種は、グラフィックス画面、トレンド画面、システム構成画面を少なくとも有する（１）に記載の入力装置。
【００１６】
このように、モニターに表示される画面情報に基づいて、入力するキーの配列を変更するようにしたことにより、不要なキーの配列をなくすことができると共に誤操作を減少或いはなくすことができる。
【００１７】
【発明の実施の形態】
次に、本発明に係る入力装置の実施形態について、図面を参照して説明する。尚、従来技術で説明したものと同じものには同一符号を付与して説明する。
【００１８】
本願発明に係る入力装置は、図１（Ａ）に示すように、グラフィックス画面、トレンド画面或いはシステム構成画面等の画種毎の画面情報を表示するモニター１１と、プログラムを実行処理するコンピュータ１２と、コンピュータ１２とネットワーク２１を介して接続され、モニター１１に表示される、グラフィックス画面、トレンド画面或いはシステム構成画面等をみてコンピュータ１２に対してデータを入力するタブレットＰＣ（２２）とからなる。コンピュータ１２に直接入力するためのキーを備えたオペレーションキーボードは省略されている。
【００１９】
グラフィックス画面は、描画ツールを使用してユーザ定義が可能な画面で、プロセスデータの文字表示、バー表示、またはプロセスデータによる色変化・点滅等を使用してプラント監視を行うものであり、従来技術で説明した、図４に示す例えばバッチ反応缶のような画面である。トレンド画面は、計装システムの定型画面で、定周期で収集するプロセスデータを保存し、その時系列データを表示する。システム構成画面は、計装システムの定型画面でシステムの構成を表示する。
【００２０】
コンピュータ１２には、図１（Ｂ）に示すように、モニター１１に表示する画面を管理する画面管理プログラム１４、オペレーションキーボードのキーの操作により入力されたキーデータを処理するオペレーションキーボードプログラム１５、タブレットＰＣ（２２）のキーの入力データをオペレーションキーボードプログラム１５に手渡すオペレーションキーボード拡張プログラム２３が格納されている。
【００２１】
画面管理プログラム１４は、従来技術で説明したものと同じで、グラフィックス画面、トレンド画面、並びにシステム構成画面等を画種毎に管理するもので、キーボード等の共通内部処理を行う。
【００２２】
タブレットＰＣ（２２）は、オペレーションキーボードの替わりのものであり、タブレットのディスプレイにタッチすることで操作可能なコンピュータを使用し、操作監視用のコンピュータ１２とネットワーク２１で接続されている。
【００２３】
このタブレットＰＣ（２２）には、ディスプレイ２４上にオペレーションキーボード画面２５を表示する。このオペレーションキーボード画面２５は、モニター１１に表示する画面、例えば、グラフィックス画面、トレンド画面、システム構成画面等の画種毎の特有のキー配列になっている。
【００２４】
そして、タブレットＰＣ（２２）上の特定のキーを押すと、専用のキーコードをネットワーク２１上に出力する。オペレーションキーボード拡張プログラム２３がネットワーク２１上のキーコードを取得し、オペレーションキーボードプログラム１５にデータを渡す。
オペレーションキーボードプログラム１５は画面管理プログラム１４に、グラフィックス画面、トレンド画面等の画面情報を渡す。
画面管理プログラム１４は、指定された画面を表示し、表示した画面情報をオペレーションキーボードプログラム１５に通知する。
オペレーションキーボードプログラム１５はオペレーションキーボード拡張プログラム２３を経由して、表示画面情報をタブレットＰＣ（２２）に通知する。
タブレットＰＣ（２２）では表示画面に応じたキーボード配列に変更して表示する。
そして、モニター１１に表示されている画面に即したキーボード配列を利用して、キーをタッチすることにより入力操作をすればよい。
【００２５】
次に、本願発明に係る入力装置の第２の実施形態について、図面を参照して説明する。
【００２６】
第２の実施形態の入力装置は、図２に示すように、入力手段としてタブレットＰＣ（２２）を有するコンピュータ１２によるもので、オペレーションキーボードに相当するタブレットＰＣ（２２）と、コンピュータ１２と、モニター１１とを備えた構成になっている。
【００２７】
タブレットＰＣ（２２）は、そのディスプレイにオペレーションキーボードが表示され、その表示されているキーをタッチすることでキー入力操作が行われる。
【００２８】
コンピュータ１２には、キーボード用プログラム２６、画面管理プログラム１４が格納されている。
【００２９】
このような構成からなる入力装置において、タブレットＰＣ（２２）のディスプレイ上に表示されているオペレーションキーボードのキーをタッチすると、そのタッチしたキーのキーデータを、キーボード用プログラム２６に送信する。
キーボード用プログラム２６は、タブレットＰＣ（２２）で押したキーを解釈して画面管理プログラム１４に伝える。画面管理１４プログラムは、表示した画面情報、即ち、グラフィックス画面、トレンド画面、システム構成画面を識別するデータをキーボード用プログラム２６を経由して，タブレットＰＣ（２２）に通知する。タブレットＰＣ（２２）は、モニター１１に表示されている画面情報に合わせたキー配列を表示する。
【００３０】
このようにして、表示画面に対応したキーをタブレットＰＣ（２２）のディスプレイ上に表示することにより、オペレータのキー入力を容易にし、誤操作を少なくするかなくすことができる。
【００３１】
ここで、請求範囲でいう画面表示手段はモニター１１に相当し、キー入力手段はタブレットＰＣに相当する。キーボード画面変更手段は、コンピュータ１２、画面管理プログラム１４、オペレーションキーボードプログラム１５、オペレーションキーボード拡張プログラム２３及びキーボード用プログラム２６からなる部分に相当する。
【００３２】
【発明の効果】
上記説明したように、本発明に係る入力装置は、モニターに表示される画面に対応したキーボード画面に変更するようにしたことにより、オペレータは、表示されている画面に応じたキー操作をすることができると共に、不要なキーを設ける必要がなくなるから、キーの誤操作を減少或いはなくすことができるという効果がある。
【図面の簡単な説明】
【図１】本発明に係る第１実施形態の入力装置を略示的に示した構成図である。
【図２】本発明に係る第２実施形態の入力装置を略示的に示した構成図である。
【図３】従来技術における入力装置を略示的に示した構成図である。
【図４】グラフィックス画面の一例を示した説明図である。
【符号の説明】
１１      モニター
１２      コンピュータ
１４      画面管理プログラム
１５      オペレーションキーボードプログラム
２２      タブレットＰＣ
２３      オペレーションキーボード拡張プログラム
２４      ディスプレイ
２５      キーボード画面
２６      キーボード用プログラム。
【図１】
2004199214.tif 000003
【図２】
2004199214.tif 000004
【図３】
2004199214.tif 000005
【図４】
2004199214.tif 000006